(57)【要約】      （修正有）【課題】ガイドロッドとレンズ枠の凹部又は貫通孔からなる被支持部との間に隙間が形成された構造において、撮像した画像に発生するゴーストを効果的に防止することができる撮像ユニットを提供する。【解決手段】中空のケース１６、７６と、ケースの内面に固定した直線的に延びるガイドロッド３６、３７と、ガイドロッドにスライド可能に支持したレンズ保持孔を有するレンズ枠と、レンズ枠をガイドロッドに沿って移動させる駆動力を発生する駆動源と、レンズ保持孔に支持した光軸がガイドロッドと平行な移動レンズを含む撮像光学系と、撮像光学系から出射された撮影光を受光する撮像素子６９とを備え、レンズ枠がガイドロッドに相対スライド可能に支持された凹部又は貫通孔からなる被支持部と、少なくとも一部がレンズ保持孔と被支持部の間に位置し、かつレンズ枠からガイドロッドの延長方向に突出する遮光壁と、を備える。【選択図】図２
2014149368.tif 000002
【特許請求の範囲】
【請求項１】
中空のケースと、
該ケースの内面に固定した直線的に延びるガイドロッドと、
該ガイドロッドにスライド可能に支持した、レンズ保持孔を有するレンズ枠と、
該レンズ枠を上記ガイドロッドに沿って移動させる駆動力を発生する駆動源と、
上記レンズ保持孔に支持した、光軸が上記ガイドロッドと平行な移動レンズを含む撮像光学系と、
該撮像光学系から出射された撮影光を受光する撮像素子と、
を備え、
上記レンズ枠が、
上記ガイドロッドに相対スライド可能に支持された凹部又は貫通孔からなる被支持部と、
少なくとも一部が上記レンズ保持孔と上記被支持部の間に位置し、かつ上記レンズ枠から上記ガイドロッドの延長方向に突出する遮光壁と、
を備えることを特徴とする撮像ユニット。
【請求項２】
請求項１記載の撮像ユニットにおいて、
上記遮光壁が、
上記レンズ枠から上記ガイドロッドの一方の端部側に延びる第一遮光壁と、
上記レンズ枠から上記ガイドロッドの他方の端部側に延びる第二遮光壁と、
を備える撮像ユニット。
【請求項３】
請求項１または２記載の撮像ユニットにおいて、
上記被支持部が、上記レンズ保持孔と反対側の端部が開口した凹部であり、
上記遮光壁が、該凹部の周縁部全体から上記ガイドロッドの延長方向に突出する形状である撮像ユニット。
【発明の詳細な説明】
【技術分野】
【０００１】
本発明は、撮像光学系と撮像素子を備える撮像ユニットに関する。
【背景技術】
【０００２】
近年、デジタルスチルカメラ、デジタルビデオカメラ等の主として撮影を目的とした携帯電子機器や、カメラ付き携帯電話機や携帯情報端末といった付随的に撮影機能を備えた携帯電子機器が広く普及している。この種の携帯電子機器においては、中空のハウジングに撮像素子と撮像素子に撮影光を導くための撮像光学系とを収納した構成の撮像ユニットを内蔵させることが広く行われている。
【０００３】
撮像ユニットの従来技術としては例えば特許文献１に開示されたものがある。この撮像ユニットの撮像光学系は、中空のケースと、ケースの内面に固定した撮像ユニットの長手方向に延びる２本のガイドロッドと、移動レンズを支持しかつガイドロッドにスライド自在に支持したレンズ枠と、レンズ枠に対してスライド力を付与するモータと、上記移動レンズ及びプリズム等の光学要素を含む撮像光学系と、撮像光学系から出射された撮影光を撮像（受光）する撮像素子と、を備えている。図８に示すように、上記撮像ユニットのレンズ枠は、一方のガイドロッドが貫通する断面円形の貫通孔からなるロッド挿通孔と、他方のガイドロッドが貫通する断面略Ｕ字形の凹部（回転止め溝）と、を有している。
この撮像ユニットでは、モータの駆動力によってレンズ枠がガイドロッドに沿って進退することによりズーミング動作が行われる。
【先行技術文献】
【特許文献】
【０００４】
【特許文献１】特開２０１２−９３７２９号公報
【発明の概要】
【発明が解決しようとする課題】
【０００５】
特許文献１の撮像ユニットでは、レンズ枠の断面略Ｕ字形の凹部（回転止め溝）とガイドロッドの間に隙間が形成されている。そのため、当該隙間を通り抜けた光がガイドロッドによって反射され、反射光が迷光になる可能性がある。仮に迷光が撮像面に入射すると撮像（撮影）した画像にゴーストが発生してしまうので、迷光が撮像面に入射するのを抑制する必要がある。
しかし特許文献１の撮像ユニットでは、この問題を解決するための工夫がなされていない。
【０００６】
本発明は、ガイドロッドとレンズ枠の凹部又は貫通孔からなる被支持部との間に隙間が形成された構造でありながら、撮像した画像にゴーストが発生するのを効果的に防止できる撮像ユニットを提供することを目的とする。
【課題を解決するための手段】
【０００７】
本発明の撮像ユニットは、中空のケースと、該ケースの内面に固定した直線的に延びるガイドロッドと、該ガイドロッドにスライド可能に支持した、レンズ保持孔を有するレンズ枠と、該レンズ枠を上記ガイドロッドに沿って移動させる駆動力を発生する駆動源と、上記レンズ保持孔に支持した、光軸が上記ガイドロッドと平行な移動レンズを含む撮像光学系と、該撮像光学系から出射された撮影光を受光する撮像素子と、を備え、上記レンズ枠が、上記ガイドロッドに相対スライド可能に支持された凹部又は貫通孔からなる被支持部と、少なくとも一部が上記レンズ保持孔と上記被支持部の間に位置し、かつ上記レンズ枠から上記ガイドロッドの延長方向に突出する遮光壁と、を備えることを特徴としている。
【０００８】
上記遮光壁が、上記レンズ枠から上記ガイドロッドの一方の端部側に延びる第一遮光壁と、上記レンズ枠から上記ガイドロッドの他方の端部側に延びる第二遮光壁と、を備えてもよい。
【０００９】
上記被支持部が、上記レンズ保持孔と反対側の端部が開口した凹部であり、上記遮光壁が、該凹部の周縁部全体から上記ガイドロッドの延長方向に突出する形状であってもよい。
【発明の効果】
【００１０】
本発明のレンズ枠は、少なくとも一部がレンズ保持孔と（ガイドロッドに相対スライド可能に支持された）被支持部の間に位置し、かつレンズ枠からガイドロッドの延長方向に突出する遮光壁を備えている。
そのため、遮光壁がレンズ枠からガイドロッドの一端側に延びている場合は、当該一端側から撮像素子側に向かう光がレンズ枠の被支持部とガイドロッドの間の隙間を通り抜けるのを、この遮光壁が効果的に抑制する。
また、遮光壁がレンズ枠からガイドロッドの他端側に延びている場合は、上記一端側から撮像素子側に向かう光が被支持部とガイドロッドの間の隙間を通り抜け、この光がガイドロッドにより反射されることによって迷光が発生したときに、この迷光が撮像素子側に向かうのを当該遮光壁が効果的に抑制する。
そのため本発明によれば、撮像素子が撮像した画像にゴーストが発生するのを効果的に防止できる。
【図面の簡単な説明】
【００１１】
【図１】本発明の一実施形態の撮像ユニットの前斜め上方から見た斜視図である。
【図２】撮像ユニットの前斜め上方から見た分解斜視図である。
【図３】撮像光学系がワイド端位置にあるときのカバー部材及び回路基板を取り外した撮像ユニットの正面図である。
【図４】撮像光学系がテレ端位置にあるときの図１のIV−IV矢線に沿う断面図である。
【図５】第２ロッドと２群レンズ枠の上方から見た斜視図である。
【図６】第一の変形例の第２ロッドと２群レンズ枠の左側から見た側面図である。
【図７】第二の変形例の第２ロッドと２群レンズ枠の左側から見た側面図である。
【図８】従来例のガイドロッドとレンズ枠の斜視図である。
【発明を実施するための形態】
【００１２】
以下、図１〜図５を参照しながら本発明の一実施形態について説明する。なお以下の説明における前後、左右、及び上下の各方向は、図中に記載した矢線方向を基準としている。
図１、図２に示すように撮像ユニット１は大きな構成要素として第１レンズ群ブロック３、本体モジュール１５、基板モジュール６５、及びカバー部材７６を具備している。
【００１３】
第１レンズ群ブロック３は合成樹脂の成形品であるホルダ４を具備している。ホルダ４の左端部には貫通孔６を有する上下一対の耳片５が突設してある。またホルダ４の内部には前面及び右側面が開口するプリズム収納空間７が形成してあり、プリズム収納空間７の前面開口部には左側部が開放された前側レンズ保持孔８が形成してあり、プリズム収納空間７の右側面開口部には上下両端部がそれぞれ開放された非円形形状の右側レンズ保持孔９が形成してある（図４参照）。図４等に示すようにプリズム収納空間７には、前後方向に対して直交する上下方向に長い矩形形状の入射面ＬＰ１−ａと左右方向に対して直交する上下方向に長い矩形形状の出射面ＬＰ１−ｂとを備える第１プリズムＬＰ１が嵌合固定してある。また前側レンズ保持孔８には、外形形状が円形でありその光軸が前後方向に延びるレンズＬ１が、入射面ＬＰ１−ａと前後方向に対向する状態で嵌合固定してある。
前方から第１レンズ群ブロック３を見たとき、第１プリズムＬＰ１の入射面ＬＰ１−ａの四隅がレンズＬ１の外周側に位置する。しかし図１〜図３に示すように、ホルダ４の前面（マスク固定面）にはレンズＬ１を避けるためのレンズ逃げ孔１１が形成された前側遮光マスク１０が固定状態で貼り付けてあり、前側遮光マスク１０の四隅によって入射面ＬＰ１−ａの四隅が覆われるので、入射面ＬＰ１−ａの四隅は前方に露出しない。
【００１４】
ホルダ４の右側レンズ保持孔９には、共に樹脂製であるレンズＬ２とレンズＬ３が互いに接合した状態で嵌合してある（図４参照）。
さらにホルダ４の右端面にはレンズＬ３の右側面を覆う右側遮光マスク１３が固定状態で貼設してある（図２参照）。但し右側遮光マスク１３には開口１４が形成してあるので、レンズＬ３の外周縁部より内周側に位置する部分は右側に露出している。
以上説明したレンズＬ１、第１プリズムＬＰ１、レンズＬ２、及びレンズＬ３が第１レンズ群ＬＧ１の構成要素である。またホルダ４、前側遮光マスク１０、第１レンズ群ＬＧ１、及び右側遮光マスク１３が第１レンズ群ブロック３の構成要素である。
【００１５】
本体モジュール１５は、合成樹脂製のハウジング１６（ケース）を備えている。ハウジング１６の左端部には取付用凹部１７が凹設してあり、取付用凹部１７より右側に位置する部分の前面には断面略矩形の収納凹部１８が形成してある。取付用凹部１７と収納凹部１８の間には両者を区切る隔壁１９が形成してあり、隔壁１９の中央部には取付用凹部１７と収納凹部１８を連通させるための連通孔２０（図４参照）が穿設してある。収納凹部１８の底面（後面）の右端部には正面視略方形をなす位置決め部２２が前向きに突設してある。さらに位置決め部２２は前方に向かって突出する３つのスペーサ２３ａ、２３ｂ、２３ｃを備えており、各スペーサ２３ａ、２３ｂ、２３ｃの前面は前後方向（ハウジング１６の厚み方向）に対して直交する位置決め平面２４となっている。また位置決め部２２の内部には前面及び左側面が開口するプリズム用凹部２５が凹設してある。さらに収納凹部１８の内周面の前縁部には、ハウジング１６の前面より後方に一段後退しかつ前後方向に対して直交する基板支持面２７が形成してあり、基板支持面２７の２カ所には前向きに突出する係止突起２８が設けてある。ハウジング１６の上面中央部の前端部には周辺部に比べて（下方に）一段下がった第１係合凹部３０が形成してあり、第１係合凹部３０の左側には第１係合凹部３０と同じ高さに位置しかつ第１係合凹部３０より広幅の第２係合凹部３１が形成してあり、第２係合凹部３１には係合突起３２が突設してある。さらにハウジング１６の下面にも同じ構成の第１係合凹部３０、第２係合凹部３１、係合突起３２が形成してある。下面の第１係合凹部３０、第２係合凹部３１、係合突起３２の互いの位置関係は上面のものと同じであるが、下面の第１係合凹部３０、第２係合凹部３１、係合突起３２は上面のものに対して全体的に右側にずれている。さらにハウジング１６の右側面には上下一対の係合突起３４が突設してある。
【００１６】
プリズム用凹部２５には左右方向に対して直交する入射面ＬＰ２−ａと前後方向に対して直交する出射面ＬＰ２−ｂとを備える第２プリズムＬＰ２が嵌合固定してあり、入射面ＬＰ２−ａは出射面ＬＰ１−ｂと左右方向に対向している。
【００１７】
ハウジング１６の右側壁の内面と隔壁１９には共に左右方向に直線的に延びる金属製の円柱部材である第１ロッド３６（ガイドロッド）と第２ロッド３７（ガイドロッド）の両端部が上下に並べた状態で固定してある。
第１ロッド３６には、合成樹脂製の２群レンズ枠３９（レンズ枠）の上部を左右方向に貫通する挿通孔４０（ロッド挿通孔）がスライド自在に嵌合しており、第２ロッド３７には２群レンズ枠３９の下端部に形成した回転止め溝４１（被支持部）がスライド自在に係合している。この回転止め溝４１は、断面形状が略Ｕ字形をなし下端が開口する凹部により形成してある。回転止め溝４１の前後寸法は第２ロッド３７の外径と略同一であり、回転止め溝４１の上下寸法は第２ロッド３７の外径より長い。このように回転止め溝４１が第２ロッド３７に係合することにより２群レンズ枠３９の第１ロッド３６回りの回転を規制しているので、２群レンズ枠３９は第１ロッド３６及び第２ロッド３７に沿って左右方向にスライド可能である。２群レンズ枠３９を左右方向に貫通するレンズ保持孔３９ａには、２枚のレンズＬ４、Ｌ５（移動レンズ）からなり、かつ出射面ＬＰ１−ｂ及び入射面ＬＰ２−ａと左右方向に対向する第２レンズ群ＬＧ２が嵌合固定してある。さらに２群レンズ枠３９の下端近傍部（回転止め溝４１の上縁部と連続する部位）の左右両面には第一遮光壁３９ｂと第二遮光壁３９ｃがそれぞれ突設してある。第一遮光壁３９ｂと第二遮光壁３９ｃはレンズ保持孔３９ａと回転止め溝４１の間に位置する突起であり、第一遮光壁３９ｂは左側に向かって突出しており第二遮光壁３９ｃは右側に向かって突出している。第一遮光壁３９ｂは上下方向に対して直交する平板状の突起であり、第二遮光壁３９ｃは回転止め溝４１の上縁部と同じ断面形状の突起である。第一遮光壁３９ｂ及び第二遮光壁３９ｃは第２ロッド３７の直上に位置しており、第一遮光壁３９ｂ及び第二遮光壁３９ｃの下面と第２ロッド３７の上面の間には微小な隙間が形成されている。
２群レンズ枠３９の上端部に形成した凹部には、軸線が左右方向に延びる雌ねじ孔を備えるドリブンナット４４が固定状態で取り付けてある。
収納凹部１８の上部にはステッピングモータからなる第１モータＭ１（駆動源）が固定してある。第１モータＭ１は左方に向かって直線的に延びる回転駆動軸Ｍ１ａ（リードスクリュー）を備えており、回転駆動軸Ｍ１ａの先端部近傍に形成した雄ねじ溝がドリブンナット４４の上記雌ねじ溝に螺合している。従って、第１モータＭ１を動作させることにより回転駆動軸Ｍ１ａをその軸線回りに正逆回転させると、２群レンズ枠３９（レンズＬ４、Ｌ５）が第１ロッド３６と第２ロッド３７に沿って図４に示すテレ端位置と図３に示すワイド端位置との間を左右方向に直線移動する。
【００１８】
また、２群レンズ枠３９の右側に位置する合成樹脂製の３群レンズ枠４７（レンズ枠）は、その下部を左右方向に貫通する挿通孔４８（ロッド挿通孔）が第２ロッド３７に対してスライド自在に嵌合している。さらに、第１ロッド３６には３群レンズ枠４７の上端部に形成した回転止め溝４９（被支持部）が係合している。この回転止め溝４９は、断面形状が略Ｕ字形をなし上端が開口する凹部により形成してある。回転止め溝４９の前後寸法は第１ロッド３６の外径と略同一であり、回転止め溝４９の上下寸法は第１ロッド３６の外径より長い。そのため、３群レンズ枠４７は第１ロッド３６及び第２ロッド３７に沿って（第２ロッド３７回りに回転を規制された状態で）左右方向にスライド可能である。３群レンズ枠４７を左右方向に貫通するレンズ保持孔４７ａには１枚のレンズＬ６（移動レンズ）からなり第２レンズ群ＬＧ２と互いに同心をなす第３レンズ群ＬＧ３が嵌合固定してある。
３群レンズ枠４７の下端部に形成した凹部には、ドリブンナット４４が固定状態で取り付けてある。
【００１９】
収納凹部１８の下部には第１モータＭ１と同一仕様の第２モータＭ２（駆動源）が固定してあり、回転駆動軸Ｍ２ａ（回転駆動軸Ｍ１ａと同一仕様のリードスクリュー）の先端部近傍に形成した雄ねじ溝が３群レンズ枠４７側のドリブンナット４４の上記雌ねじ溝に螺合している。従って、第２モータＭ２を動作させることにより回転駆動軸Ｍ２ａをその軸線回りに正逆回転させると、３群レンズ枠４７（第３レンズ群ＬＧ３）が第１ロッド３６と第２ロッド３７に沿って図４に示すテレ端位置と図３に示すワイド端位置との間を左右方向に直線移動する。
以上説明したハウジング１６、第１ロッド３６、第２ロッド３７、第２レンズ群ＬＧ２、第３レンズ群ＬＧ３、第２プリズムＬＰ２、第１モータＭ１、及び第２モータＭ２が本体モジュール１５の構成要素である。
【００２０】
第１レンズ群ブロック３と本体モジュール１５は、ホルダ４の耳片５より右側に位置する部分を取付用凹部１７に嵌合し、さらに上下の耳片５とハウジング１６の上下の左端面（取付用凹部１７の上下両側に位置する突部の左端面）との間でスペーサＳを挟んだ状態で、左側から上下の貫通孔６に一対の固定ネジＢをそれぞれ挿入し、固定ネジＢのネジ部をハウジング１６の左端面に形成した雌ネジ孔に螺合することにより一体化してある。
第１レンズ群ブロック３と本体モジュール１５を一体化すると、ホルダ４の右端部（右側レンズ保持孔９を形成している壁）が隔壁１９の連通孔２０に嵌合し、レンズＬ２、レンズＬ３の光軸が第２レンズ群ＬＧ２及び第３レンズ群ＬＧ３の光軸（第１ロッド３６及び第２ロッド３７と平行）と一致する。
以上説明した第１レンズ群ＬＧ１、第２レンズ群ＬＧ２、第３レンズ群ＬＧ３、及び第２プリズムＬＰ２が撮像光学系（屈曲光学系）の構成要素であり、第２レンズ群ＬＧ２（レンズＬ４、Ｌ５）と第３レンズ群ＬＧ３（レンズＬ６）が第１ロッド３６及び第２ロッド３７に沿って進退することにより該撮像光学系はズーミング動作を行い、第３レンズ群ＬＧ３が進退することによりフォーカシング動作を行う。
【００２１】
基板モジュール６５は、正面形状がハウジング１６の収納凹部１８と略同一であり前後方向に対して直交する平板からなる回路基板６６を具備している。回路基板６６の後面には図示を省略したプリント回路が形成してあり、かつ回路基板６６の角部の２カ所には円形孔６７が穿設してある。
回路基板６６の後面の右端部には撮像素子６９が固定してあり、撮像素子６９に設けた複数の端子（図示略）が上記プリント回路に半田付けにより固定状態で接続している。撮像素子６９の後面には前後方向に対して直交する撮像面（図示略）が形成してある。さらに撮像素子６９はその入射側の面（図中後面）に、平板からなり該撮像面全体を覆うカバーガラス７０を固定状態で備えている。
さらに撮像素子６９の後面（後端部）には、前面及び左側面が開放したゴム等の弾性材料からなるパッキン７２が被せてある。さらにパッキン７２の後面には上記撮像面全体を後方に露出させるための露出用孔（貫通孔）７３と、スペーサ２３ａ、２３ｂ、２３ｃをそれぞれ貫通させるための３つの貫通孔が穿設してある。
以上説明した回路基板６６、撮像素子６９、及びパッキン７２が基板モジュール６５の構成要素である。
【００２２】
金属板のプレス成形品であるカバー部材７６（ケース）は、前後方向に対して直交する平板部である基部７７と、基部７７の上下両縁部からそれぞれ後方に向かって延びる短寸係合片７８及び長寸係合片７９（弾性係合片）と、基部７７の右側縁部からそれぞれ後方に向かって延びる上下一対かつ側面視略Ｔ字形の側部係合片８１（弾性係合片）と、を一体的に備えている。基部７７は回路基板６６より若干大寸の略矩形形状であり、かつ、共に前後方向に弾性変形可能な押圧片８４、押圧片８５、及び押圧片８６を有している。
押圧片８４、押圧片８５、及び押圧片８６は前方から後方に向かって突出する押圧突起８４ａ、押圧突起８５ａ、及び押圧突起８６ａをそれぞれ具備しており（押圧片８４、押圧片８５、及び押圧片８６の押圧突起８４ａ、押圧突起８５ａ、及び押圧突起８６ａに対応する部分の前面は凹んでいる）、自由状態にあるとき押圧片８４、押圧片８５、及び押圧片８６は基部７７の他の部分と同一平面上に位置している。
長寸係合片７９と側部係合片８１には共に方形をなす係合孔８０と係合孔８２がそれぞれ穿設してある。
【００２３】
本体モジュール１５に対して基板モジュール６５とカバー部材７６を組み付けるには、まず回路基板６６の２つの円形孔６７をハウジング１６の２つの係止突起２８にそれぞれ嵌合させながら回路基板６６によって収納凹部１８の前面開口を塞ぎ、回路基板６６の後面の周縁部を基板支持面２７に面接触させる（回路基板６６の前面とハウジング１６の前面は略同一平面上に位置する）。するとハウジング１６の３つのスペーサ２３ａ、２３ｂ、２３ｃがパッキン７２の上記した３つの貫通孔を前方に通り抜けて、その位置決め平面２４が撮像素子６９のカバーガラス７０の平面からなる後面（撮像面の直後に位置する部分より外周側）に面接触し、カバーガラス７０と第２プリズムＬＰ２（出射面ＬＰ２−ｂ）の間に前後方向の隙間が形成される。さらに露出用孔７３を通して撮像素子６９の上記撮像面が第２プリズムＬＰ２の出射面ＬＰ２−ｂと前後方向に対向する。またパッキン７２の後面が位置決め部２２の前面に当接する。
次いでハウジング１６の前面にカバー部材７６の基部７７を前方から被せて、上下の短寸係合片７８を上下の第１係合凹部３０にそれぞれ係合させ、上下の長寸係合片７９の係合孔８０を上下の係合突起３２にそれぞれ係合させ、かつ、上下の側部係合片８１の係合孔８２を上下の係合突起３４にそれぞれ係合させて、カバー部材７６をハウジング１６に固定する。
このようにして撮像ユニット１を組み立てると、カバー部材７６の押圧片８４、押圧片８５、及び押圧片８６の押圧突起８４ａ、押圧突起８５ａ、及び、押圧突起８６ａが回路基板６６の前面の右側部に接触し、僅かに前方に弾性変形した押圧片８４、押圧片８５、及び押圧片８６から（押圧突起８４ａ、押圧突起８５ａ、及び押圧突起８６ａを通じて）回路基板６６の前面に後向きの押圧力（付勢力）が掛かるので、回路基板６６及び撮像素子６９が後方に押圧される。するとハウジング１６の３つのスペーサ２３ａ、２３ｂ、２３ｃの位置決め平面２４とカバー部材７６の押圧突起８４ａ、押圧突起８５ａ、及び押圧突起８６ａによって回路基板６６と撮像素子６９の一体物が前後から挟持されるので、スペーサ２３ａ、２３ｂ、２３ｃと押圧突起８４ａ、８５ａ、８６ａとによって回路基板６６及び撮像素子６９がハウジング１６及び第２プリズムＬＰ２に対して前後方向に正確に位置決めされる。
【００２４】
撮像ユニット１を前方に位置する被写体に向けると、後方に向かって進む該被写体の反射光（撮影光）はレンズＬ１を透過した後に入射面ＬＰ１−ａから第１プリズムＬＰ１の内部に入り、第１プリズムＬＰ１の内面（第１の反射面）によって出射面ＬＰ１−ｂ側に進行方向を９０°変換されながら右側に向けて反射される。さらに出射面ＬＰ１−ｂを出た該反射光は、各レンズＬ２〜Ｌ６を透過した後に入射面ＬＰ２−ａから第２プリズムＬＰ２の内部に入り、第２プリズムＬＰ２の内面（第２の反射面）によって出射面ＬＰ２−ｂ側に進行方向を９０°変換されながら前方に向けて反射され、露出用孔７３及びカバーガラス７０を通り抜けた後に撮像素子６９の上記撮像面によって撮像（受光）される。撮像ユニット１は上記のように回路基板６６及び撮像素子６９がハウジング１６及び第２プリズムＬＰ２に対して前後方向に正確に位置決めされているので（３つのスペーサ２３ａ、２３ｂ、２３ｃの位置決め平面２４とカバー部材７６の押圧突起８４ａ、８５ａ、８６ａによって回路基板６６と撮像素子６９の一体物が前後から挟持されるので）、外力や振動が掛かった場合においても撮像素子６９によって被写体像をピントのあったブレの無い画像として撮像できる。
さらに第１モータＭ１と第２モータＭ２を利用して第２レンズ群ＬＧ２（レンズＬ４、Ｌ５）と第３レンズ群ＬＧ３（レンズＬ６）を第１ロッド３６及び第２ロッド３７に沿って進退させることにより上記撮像光学系をズーミング動作及びフォーカシング動作させれば、被写体像を変倍及び合焦させた状態で撮像可能となる。
【００２５】
そして本実施形態の撮像ユニット１では、２群レンズ枠３９が第２ロッド３７の直上に位置する第一遮光壁３９ｂ及び第二遮光壁３９ｃを具備している。そのため、ハウジング１６内を２群レンズ枠３９の左側から右側に向かう光が２群レンズ枠３９の回転止め溝４１と第２ロッド３７の間の隙間を通り抜けようとするときに、この通り抜けを第一遮光壁３９ｂが効果的に抑制する。さらに、仮に光が回転止め溝４１と第２ロッド３７の間の隙間を右側に通り抜け、この光が第２ロッド３７の上面によって反射されることによって迷光が発生したとしても、この迷光が撮像素子６９側に向かうのを第二遮光壁３９ｃが効果的に抑制する。そのため撮像素子６９が撮像した画像にゴーストが発生するのを効果的に防止できる。
【００２６】
以上本実施形態を利用して本発明を説明したが、本発明は様々な変形を施しながら実施可能である。
例えば図６や図７に示す態様で実施しても良い。
図６に示す２群レンズ枠３９’の左右両面に突設した第一遮光壁３９ｂ’及び第二遮光壁（図示略）は、回転止め溝４１の周縁部全体から左方と右方に向かってそれぞれ突出しており、その断面形状は回転止め溝４１と同様に断面略Ｕ字形である。このように回転止め溝４１の周縁部全体に第一遮光壁３９ｂ’及び第二遮光壁を設けているので、ゴーストの発生をより効果的に防止できる。
図７に示す２群レンズ枠３９’’には回転止め溝４１の代わりに（上下寸法が前後寸法より長い）長孔からなる回転止め孔４２（被支持部）が貫通孔として穿設してある。回転止め孔４２の前後寸法は第２ロッド３７の外径と略同一であり、回転止め孔４２が第２ロッド３７に対してスライド自在に嵌合している。また２群レンズ枠３９’’の左右両面に突設した左側に延びる第一遮光壁３９ｂ’’及び右側に延びる第二遮光壁（図示略）は、いずれも上下方向に対して直交する平板状の突起であり、かつ回転止め孔４２の上縁から上方に離間している。この場合も２群レンズ枠３９の第一遮光壁３９ｂ及び第二遮光壁３９ｃと同様の作用効果を発揮可能である。
【００２７】
また３群レンズ枠４７側に、自身の少なくとも一部がレンズ保持孔４７ａと回転止め溝４９（または回転止め溝４９の代わりに形成した回転止め孔４２に相当する回転止め孔）の間に位置する第一遮光壁と第二遮光壁を突設してもよい。
さらに２群レンズ枠３９、３９’、３９’’や３群レンズ枠４７から第一遮光壁と第二遮光壁の一方を省略してもよい。さらに第一遮光壁と第二遮光壁は、自身の少なくとも一部がレンズ保持孔３９ａ、４７ａと被支持部（回転止め溝４１、回転止め孔４２、回転止め溝４９等）の間に位置するものであれば、その位置や断面形状が上記のものとは異なるものであってもよい。
また、第１プリズムＬＰ１と第２プリズムＬＰ２をミラーに代えてもよい。
さらに、撮像光学系（屈曲光学系）に含まれるプリズムを第１プリズムＬＰ１のみとしてもよい。
【符号の説明】
【００２８】
１    撮像ユニット
３      第１レンズ群ブロック
４      ホルダ
５      耳片
６      貫通孔
７      プリズム収納空間
８      前側レンズ保持孔
９      右側レンズ保持孔
１０    前面遮光マスク
１１    レンズ逃げ孔
１３    右側遮光マスク
１４    開口
１５    本体モジュール
１６    ハウジング（ケース）
１７    取付用凹部
１８    収納凹部
１９    隔壁
２０    連通孔
２２    位置決め部
２３ａ  ２３ｂ  ２３ｃ  スペーサ
２４    位置決め平面
２５    プリズム用凹部
２７    基板支持面
２８    係止突起
３０    第１係合凹部
３１    第２係合凹部
３２  ３４  係合突起
３６    第１ロッド（ガイドロッド）
３７    第２ロッド（ガイドロッド）
３９  ３９’  ３９’’  ２群レンズ枠（レンズ枠）
３９ａ  レンズ保持孔
３９ｂ  ３９ｂ’  ３９ｂ’’  第一遮光壁
３９ｃ  第二遮光壁
４０    挿通孔（ロッド挿通孔）
４１    回転止め溝（被支持部）
４２    回転止め孔（被支持部）
４４    ドリブンナット
４７    ３群レンズ枠（レンズ枠）
４７ａ  レンズ保持孔
４８    挿通孔（ロッド挿通孔）
４９    回転止め溝（被支持部）
６５    基板モジュール
６６    回路基板
６７    円形孔
６９    撮像素子
７０    カバーガラス
７２    パッキン
７３    露出用孔（貫通孔）
７６    カバー部材（ケース）
７７    基部
７８    短寸係合片
７９    長寸係合片（弾性係合片）
８０    係合孔
８１    側部係合片（弾性係合片）
８２    係合孔
８４  ８５  ８６  押圧片
８４ａ  ８５ａ  ８６ａ  押圧突起
Ａ      光軸
Ｂ      固定ネジ
Ｌ１    レンズ
Ｌ２    レンズ
Ｌ３    レンズ
Ｌ４    レンズ（移動レンズ）
Ｌ５    レンズ（移動レンズ）
Ｌ６    レンズ（移動レンズ）
ＬＧ１  第１レンズ群
ＬＧ２  第２レンズ群
ＬＧ３  第３レンズ群
ＬＰ１  第１プリズム
ＬＰ１−ａ  入射面
ＬＰ１−ｂ  出射面
ＬＰ２  第２プリズム
ＬＰ２−ａ  入射面
ＬＰ２−ｂ  出射面
Ｍ１    第１モータ（駆動源）
Ｍ１ａ  回転駆動軸（リードスクリュー）
Ｍ２    第２モータ（駆動源）
Ｍ２ａ  回転駆動軸（リードスクリュー）
Ｓ      スペーサ
【図１】
2014149368.tif 000003
【図２】
2014149368.tif 000004
【図３】
2014149368.tif 000005
【図４】
2014149368.tif 000006
【図５】
2014149368.tif 000007
【図６】
2014149368.tif 000008
【図７】
2014149368.tif 000009
【図８】
2014149368.tif 000010